(57)【要約】【課題】  携帯性が良好で、電子書籍やノート型ＰＣ等の用途の使い分けが容易な電子機器を提供する。【解決手段】  この電子機器１は、見開き状態に開閉可能に設けられた第１および第２の筐体２Ａ，２Ｂに、それぞれＬＣＤにタブレットを重合配置した第１および第２の画面部４Ａ，４Ｂを配置し、第１および第２の筐体２Ａ，２Ｂを見開き状態にすることにより、電子書籍として利用することができ、第２の筐体２Ｂを机上等の水平面に載置することにより、ＰＣ型ノートとして利用することができる。【選択図】      図１
2005266968.tif 000002
【特許請求の範囲】
【請求項１】
略同一の画面サイズを有し、少なくとも一方が入力機能を有する第１および第２の表示部と、
前記第１および第２の表示部を開閉可能に支持する支持部とを備えたことを特徴とする電子機器。
【請求項２】
前記第１および第２の表示部は、ともに電子書籍のコンテンツを表示する表示部である請求項１記載の電子機器。
【請求項３】
前記第１および第２の表示部は、前記支持部によって支持された第１および第２の筐体の一面に配置され、
前記第１あるいは第２の筐体は、少なくとも一方の筐体の姿勢を検知する検知部と、前記姿勢に応じて前記第１および第２の表示部の画面を回転させる制御部とを備えた請求項１記載の電子機器。
【請求項４】
前記第１および第２の表示部は、ともに前記入力機能を有する請求項１記載の電子機器。
【請求項５】
前記第１の表示部は、所定の画像を表示する表示部であり、
前記第２の表示部は、前記所定の画像を表示させる命令およびデータを入力する入力部を備えた請求項１記載の電子機器。
【請求項６】
前記入力部は、前記第２の表示部に着脱可能に設けられ、それぞれのキーにＬＣ共振回路を内蔵し、電磁誘導方式によりキー入力するキーボードを備えた請求項５記載の電子機器。
【発明の詳細な説明】
【技術分野】
【０００１】
本発明は、電子書籍やノート型パーソナルコンピュータ（ＰＣ）等の複数の利用態様を有する電子機器に関する。
【背景技術】
【０００２】
従来、電子書籍やノート型ＰＣ等の携帯型電子機器が提案されている（例えば、特許文献１、非特許文献１参照。）
【０００３】
特許文献１に記載された電子書籍は、書籍のように見開き状態に開閉可能に設けられた第１および第２の筐体と、第１および第２の筐体にそれぞれ設けられた同一の画面サイズの第１および第２の液晶表示画面と、第１および第２の筐体にそれぞれ設けられ、液晶表示画面に表示された情報をページ単位で切り替えるページ送りスイッチとを備えている。
【０００４】
非特許文献１に記載されたノート型ＰＣは、キーボードを備えた装置本体と、装置本体に回動可能に設けられた液晶表示部と、装置本体に設けられ、指の操作により液晶表示部に表示されたカーソルを移動させるタッチパッドと、タッチパッドの裏面に積層配置された液晶ディスプレイと、タッチパッドの近傍に設けられ、液晶ディスプレイにカレンダー、電卓等を表示するクリックボタンとを備えている。
【特許文献１】特開２００１−１００６６７号公報（[００１４]〜[００１７]、図１）
【非特許文献１】株式会社東芝デジタルネットワーク社、「ノートＰＣ総合カタログ」、１０頁、[online]、[平成１６年３月５日検索]、インターネット＜ＵＲＬ： HYPERLINK "http://dynabook.com/pc/catalog/dynabook/catapdf/030512lu.pdf" http://dynabook.com/pc/catalog/dynabook/catapdf/030512lu.pdf＞
【発明の開示】
【発明が解決しようとする課題】
【０００５】
しかし、従来の電子書籍によると、キーボード等の文字入力手段を備えていないため、文字入力作業を行うためには、ノート型ＰＣ等が必要になってくるが、これも携帯したのでは、持ち運び難くなる。また、電子書籍とノート型ＰＣ等を用途に応じて使い分けるのも煩雑である。また、電子書籍にノート型ＰＣ等の文字入力機能を単に付加しても、両者は元々画面の表示方向が異なるため、使いづらくなる。
【０００６】
また、従来のノート型ＰＣによると、タッチパッドの画面サイズが液晶表示部よりかなり小さいため、電子書籍として連続性のある表示画面として活用することができない。一方、タッチパッドの画面を大きくすると、筐体も大きくなり、携帯性が悪くなる。
【０００７】
従って、本発明の目的は、携帯性が良好で、電子書籍やノート型ＰＣ等の用途の使い分けが容易な電子機器を提供することにある。
【課題を解決するための手段】
【０００８】
本発明は、上記目的を達成するため、略同一の画面サイズを有し、少なくとも一方が入力機能を有する第１および第２の表示部と、前記第１および第２の表示部を開閉可能に支持する支持部とを備えたことを特徴とする電子機器を提供する。
【０００９】
上記構成によれば、第１および第２の表示部は、略同一の画面サイズを有するので、両方に電子書籍のコンテンツを表示することにより、電子書籍として利用することが可能となり、一方を命令およびデータの入力部とし、他方を命令およびデータに基づいて画像を表示部とすることにより、ノート型ＰＣとして利用することが可能となる。
【発明の効果】
【００１０】
本発明の電子機器によれば、携帯性が良好で、電子書籍やノート型ＰＣ等の用途の使い分けが容易な電子機器を提供することができる。
【発明を実施するための最良の形態】
【００１１】
［第１の実施の形態］
図１および図２は、本発明の第１の実施の形態に係る電子機器の外観を示し、図１（ａ）は、開いた状態を示す斜視図、図１（ｂ）は、閉じた状態を示す斜視図、図２（ａ），（ｂ）は、開いた状態を示す側面図である。
【００１２】
（電子機器の外観構成）
この電子機器１は、図１（ａ）に示すように、ヒンジ３によって見開き状態に開閉可能に設けられた第１および第２の筐体２Ａ，２Ｂと、第１および第２の筐体２Ａ，２Ｂにそれぞれ設けられた第１および第２の画面部４Ａ，４Ｂと、本機器１に着脱可能に設けられ、第１および第２の画面部４Ａ，４Ｂ上の座標を指示する電子ペン５とを備える。
【００１３】
第１の筐体２Ａには、図１（ａ）に示すように、電源を投入する電源スイッチ６、画面部４Ａ，４Ｂに表示されるカーソルを移動させてメニューを選択するカーソルスイッチ７、および画面部４Ａ，４Ｂに表示する画像のページ送りをページ単位で指示する第１のページ送りスイッチ８Ａを設け、第２の筐体２Ｂには、画面部４Ａ，４Ｂに表示する画像のページ送りをページ単位で指示する第２のページ送りスイッチ８Ｂのみを設けている。このように第２の筐体２Ｂに設けるスイッチを第１の筐体２Ａよりも少なくすることにより、後述する図２に示すように、第２の筐体２Ｂを机上等の水平面に載置した状態（以下、「ラップトップ状態」という。）で利用するとき、誤ってスイッチを押す誤操作の回数が少なくなる。なお、スイッチは、上記に限定されず、必要に応じてファンクションキー等の様々なスイッチ類を配置することができる。
【００１４】
第２の筐体２Ｂの裏面の四隅には、図１（ｂ）に示すように、接地脚２ａ〜２ｄが筐体２Ａ，２Ｂとの一体成形により凸状に形成されている。なお、接地脚２ａ〜２ｄの材質、形状、数量等は上記に限定されない。例えば、接地脚２ａ〜２ｄを筐体２Ａ，２Ｂとは異なるゴム等の材質から形成してもよい。また、接地脚は３つでもよい。
【００１５】
（利用態様）
また、この電子機器１は、図１（ａ）に示すように、第１および第２の筐体２Ａ，２Ｂを縦で見開いた状態（以下、「見開き状態」という。）にして電子書籍として利用する態様と、図２に示すように、ラップトップ状態にしてＰＣ型ノートとして利用する態様を有する。
【００１６】
（重心位置構造）
この電子機器１は、図２（ａ）に示すように、第２の筐体２Ｂの接地脚２ａ〜２ｄを机上等の水平面に接地させた場合、第１の筐体２Ａを視野角範囲Ｅ内で後方に倒しても、本機器１が転倒しない重心位置構造を有する。すなわち、第１および第２の筐体２Ａ，２Ｂの重量をそれぞれＷ1、Ｗ2、第１および第２の筐体２Ａ，２Ｂの各重心位置Ｇ1、Ｇ2から後部の接地脚２ａ，２ｂの回転モーメントの中心を通る垂直線Ｌpまでの距離をそれぞれＬ1、Ｌ2としたとき、Ｗ1×Ｌ1＜Ｗ2×Ｌ2の関係を満たすように、筐体２Ａ，２Ｂ内部に配置するバッテリ、基板等の部品の構造，配置等を設計することにより、本機器１が転倒しないようにしている。
【００１７】
また、図１（ａ）において見開き状態のときは、全体の重心位置を両画面部４Ａ，４Ｂの中心であって下寄りにするのが好ましい。これにより、電子書籍として利用するときに、片手で両画面部４Ａ，４Ｂの中心を持つことが容易となる。
【００１８】
（他の重心位置構造）
この電子機器１は、図２（ｂ）に示すように、後部の接地脚２ａ，２ｂの形状を後方に延ばして図２（ａ）に示す場合よりもＬ2を大きく、かつ、Ｌ1を小さくしてもよい。これにより、両筐体２Ａ，２Ｂの開き角度を大きくとっても、バランスをくずさない構造にすることができる。後部の接地脚２ａ，２ｂの形状は、デザインを損ねない範囲でできるだけ後方に延ばすのが好ましい。なお、後部の接地脚を手動によって後方に引き出すようにしてもよい。
【００１９】
（ページ送りスイッチの詳細構成）
図３は、第１のページ送りスイッチ８Ａの詳細を示し、（ａ）は要部斜視図、（ｂ）は要部断面図である。第１および第２のページ送りスイッチ８Ａ，８Ｂは、同様の機能を有しているので、第１のページ送りスイッチ８Ａについて説明する。第1の筐体２Ａには、第1のページ送りスイッチ８Ａが筐体端面の曲面部３０に設置されている。
【００２０】
筐体端面の曲面部３０は、紙面で構成される本を開いた際のページ端面の形状を模して曲面形状としてある。この曲面部３０のページ送りスイッチ８Ａは、筐体２Ａ，２Ｂを手で保持した際に親指で操作し易い位置に設置されている。本実施の形態では、スイッチ８Ａの中心の位置は筐体下部よりＨ＝１００ｍｍ±５０ｍｍの範囲としている。
【００２１】
ページ送りスイッチ８Ａは、スイッチ基板８０と、スイッチ基板８０上に設けられたスイッチ本体８１と、突起部８２ａを有し、スイッチ本体８１に対して同図矢印に示す回動方向と押し込み方向に動作可能なスイッチノブ８２とで構成されている。
【００２２】
スイッチノブ８２は、スイッチ本体８１に接合されており、筐体の曲面部３０に沿った方向に回動操作が可能であるので、実際の本のページをめくる動作に似た指の動作により、画面の切り替え操作が可能となる。また、上記のようにスイッチ本体８１に回動動作に加えて押し込み動作も可能なスイッチを採用することにより、スイッチノブ８２の左右操作でページ送り（戻し）、押し込み操作で他の入力を行うことが可能となる。
【００２３】
（電子機器の制御系）
図４は、この電子機器１の制御系を示す。この電子機器１は、この電子機器１の全体を制御するＣＰＵ１０を有し、このＣＰＵ１０に、後述する図８に示すような画面回転プログラム１１ａを含むＣＰＵ１０の動作プログラムが格納されたＲＯＭ１１、データを一時格納して使用されるＲＡＭ１２、メモリカード１３からデータを読み取るカードドライブ１４、データを蓄積するＨＤＤ１５、方向センサ１６により検出された方向に基づいて方向の変化を検出する方向変化検出部１７、および外部と通信する通信部１８を各々接続するとともに、上述した各種スイッチ６，７，８Ａ，８Ｂをスイッチ信号入力部１９を介して接続し、第１および第２の画面部４Ａ，４ＢをＬＣＤ制御部２０およびタブレット制御部２１を介して各々接続している。
【００２４】
第１の画面部４Ａは、画像を表示する表示部としての第１のＬＣＤ（液晶ディスプレイ）４０Ａと、この第１のＬＣＤ４０Ａとほぼ同一の画面サイズを有して第１のＬＣＤ４０Ａの下面側に重合配置され、電子ペン５によって指示された座標を電磁誘導によって検出する入力部としての第１のタブレット４１Ａとを備える。第２の画面部４Ｂも、第１の画面部４Ａと同様に、第２のＬＣＤ４０Ｂと、この第２のＬＣＤ４０Ｂの下面側に重合配置された第２のタブレット４１Ｂとを備える。
【００２５】
ＬＣＤ制御部２０は、ＬＣＤ４０Ａ，４０Ｂへの画像の表示制御を行うものであり、タブレット制御部２１は、タブレット４１Ａ，４１Ｂによる座標入力制御を行うものである。
【００２６】
ＬＣＤ４０Ａ，４０Ｂは、透過型であり、図示しないバックライトの照明を受けて画像を表示する。ＬＣＤ４０Ａ，４０Ｂの代りに、プラズマディスプレイ等の他の薄型表示装置を用いることもできる。
【００２７】
タブレット４１Ａ，４１Ｂは、基板上に複数の横コイルと複数の縦コイルを形成した構造を有し、電磁誘導方式によって電子ペン５の位置の座標を取得するものである。なお、タブレットは一方の画面部、例えば、第２の画面部４Ｂの全面または一部にのみ配置してもよい。これにより、構成の簡素化を図ることができる。座標入力の構造の詳細は後述する。
【００２８】
メモリカード１３は、いずれかの筐体２Ａ，２Ｂに設けられた図示しないカードスロットに挿入され、カードドライブ１４によってメモリカード１３の記録内容が読み取られる。メモリカード１３には、文庫本，漫画本，教科書，辞書，百科事典，雑誌等の書籍や新聞等の紙媒体に記載された文字，図形等からなる画像（コンテンツ）が電子データ化されたコンテンツデータが記録されている。メモリカード１３として、ＳＤ(Secure Digital)メモリカードを用いることができるが、ＳＤメモリカードの他に、ＣＤ−ＲＯＭ，ＣＤ，ＭＤ，ＦＤ等を用いることができる。
【００２９】
ＨＤＤ１５は、メモリカード１３あるいは通信部１８から複数の書籍等のコンテンツデータを取り込んで格納できる記憶容量を有する。
【００３０】
方向センサ１６としては、密閉ガラス管内に封入された水銀が本機器１の姿勢に応じて移動することにより、接点が開閉する水銀スイッチや、導電性球体が本機器１の姿勢に応じて移動することにより、複数の電極のうち接触する電極の位置から本機器１の姿勢を検出する球体スイッチ等を用いることができる。
【００３１】
通信部１８は、Ｂｌｕｅｔｏｏｔｈ（登録商標）の無線規格や、無線ＬＡＮ(Local Area Network)規格の通信方式を用いて外部のサーバやＰＣ等と通信を行うものであるが、ＵＳＢ(Universal Serial Bus)による通信を行ってもよい。
【００３２】
（座標入力構造）
図５は、座標入力構造を説明するための第１の画面部４Ａの詳細を示す。第２の画面部４Ｂは、第１の画面部４Ａと構成および機能は同一であるので、ここでは説明を省略する。
【００３３】
電子ペン５は、ペンの形態を有するペン筐体５０を有し、ペン筐体５０の内部にコイル５２およびコンデンサ５３からなるＬＣ共振回路５１を内蔵している。
【００３４】
第１のタブレット４１Ａは、基板上に複数の縦コイル４２ａと複数の横コイル４２ｂからなるタブレット回路を形成したものであり、タブレット回路はタブレット制御部２１に接続されている。
【００３５】
タブレット制御部２１からＬＣ共振回路５１の共振周波数に適合した電流（振幅信号）を縦コイル４２ａに流すと、縦コイル４２ａに磁界が発生し、これによりＬＣ共振回路５１と縦コイル４２ａの電磁誘導により、ＬＣ共振回路５１が共振し、電子ペン５側から共振周波数に対応した磁界を発生する。この磁界は、電磁誘導により横コイル４２ｂに電流（電磁誘導信号）を発生させる。これを他の縦コイル４２ａおよび横コイル４２ｂについても行い、タブレット制御部２１が縦コイル４２ａと横コイル４２ｂの電磁誘導信号の強弱からペン５の位置（座標）を検出する。
【００３６】
また、電子ペン５のＬＣ共振回路５１がタブレット回路から離れることにより、電磁誘導信号の強弱が変化するため、電子ペン５の位置とともに電子ペン５の距離も検出することができる。
【００３７】
なお、座標入力構造として上記電磁誘導方式の外に、抵抗膜方式（感圧方式），静電結合方式，超音波表面弾性波方式，赤外線遮光方式等を用いてもよい。また、表示部として単純マトリクス型ＬＣＤを用い、このＬＣＤにタブレットの機能を持たせて静電結合方式により座標を検出してもよい。これにより画面部を薄型化することができる。
【００３８】
（画面回転動作）
次に、本実施の形態による画面回転動作を図６、図７、図８を参照し、図９のフローチャートに従って説明する。図６は、ラップトップ状態の電子機器を示す斜視図、図７（ａ）は、画面回転前の斜視図、（ｂ）は、画面回転後の斜視図、図８は、ラップトップ状態の一表示例を示す図である。以下の動作説明において、特に記述がないときはＣＰＵ１０が行うものとして説明する。
【００３９】
この電子機器１のユーザが図１（ａ）に示す見開き状態から図５に示すラップトップ状態に変更したとする。このときは、まだ、第１および第２の画面部４Ａ，４Ｂに表示されている画面は図１（ａ）に示す縦向きのままであり、画面は回転されていないため、図６に示す状態において画面は横向きになっている。
【００４０】
方向センサ１６は、常時、電子機器１の方向を検出している（Ｓ１）。方向変化検出部１７が、所定のタイミング（例えば、５秒間隔）で方向センサ１６により検出された方向に基づいて方向の変化を検出し、その結果を検出信号としてＣＰＵ１０に送信する（Ｓ２）。ＣＰＵ１０は、方向変化検出部１７からの検出信号に基づいて画面の回転が必要か否かを判断する（Ｓ３）。ＣＰＵ１０は、検出された方向変化とＲＡＭ１２等に記憶されている基準方向変化との比較により画面の回転要・不要を判断する。回転が不要と判断したときは、画面を回転しない（Ｓ１０）。
【００４１】
回転が必要と判断したときは、手動回転モードが設定されている否かを判断する（Ｓ５）。手動回転モードは、予め画面部４Ａ，４Ｂに表示された設定画面でユーザが設定してもよく、カーソルスイッチ７等の操作によって設定してもよい。手動回転モードが設定されていない場合（Ｎｏ）は、ＣＰＵ１０は、ＲＯＭ１１に記憶された画面回転プログラム１１ａに基づいて図７（ａ）から図７（ｂ）に示すように画面を９０°回転させる（Ｓ６）。図７（ｂ）は、画面が横向きから縦向きに９０°回転した状態を示す。
【００４２】
ステップＳ５において、手動回転モードが設定されている場合（Ｙｅｓ）は、回転するか否かの確認画面を第１または第２の画面部４Ａ，４Ｂに表示し（Ｓ７）、回転操作の入力を待つ（Ｓ８）。回転操作の入力は、例えば、電子ペン５を用いて行う。一定時間以内に回転操作が入力されない場合（Ｎｏ）は、画面を回転しない（Ｓ９）。一定時間以内に回転操作が入力されると（Ｙｅｓ）、図７（ｂ）に示すように画面を９０°回転させる（Ｓ１０）。
【００４３】
ステップＳ６およびＳ１０において、画面を回転した後、キーボードを表示するか否かの判断を行う（Ｓ１１）。この場合、見開き状態からラップトップ状態への変更であるので、図８に示すように、キーボードを第２の画面部４Ｂに表示する（Ｓ１２）。
【００４４】
見開き状態からラップトップ状態に変更すると、図８に示すように、第１の画面部４Ａに設けられた表示エリア１００に書籍データ（コンテンツデータ）等が表示される。また、第２の画面部４Ｂに設けられたキー入力エリア１０１にキーボードが表示される。キーボードのうち所望のキーに電子ペン５を近づけると、キー入力を行うことができる。第２の画面図４Ｂには、その他に手書きノートエリア１０２および手書き文字入力変換エリア１０３が表示される。手書きノートエリア１０２は、電子ペン５により描かれた文字をそのまま入力することができるエリアである。手書き文字入力変換エリア１０３は、電子ペン５により文字を描くと、その文字が自動認識され、その結果が表示されるエリアである。
【００４５】
なお、第１の画面部４Ａや第２の画面部４ＢにＷｅｂブラウザによる閲覧画面を表示してもよい。また、筐体２Ａ，２Ｂにテレビチューナを設け、画面部４Ａ，４Ｂにテレビの動画等を表示してもよい。
【００４６】
以上の動作説明では、見開き状態からラップトップ状態に変更する場合について説明したが、ラップトップ状態から見開き状態に変更する場合も前述したのと同様に動作するが、上記ステップＳ１１において、画面を回転した後、キーボードを表示しない（Ｓ１３）。すなわち、キーボードを表示している場合はキーボードを消去する。
【００４７】
（第１の実施の形態の効果）
この第１の実施の形態の電子機器１によれば、以下の効果が得られる。
（イ）見開き状態からラップトップ状態に利用形態を変化させる機能を有しているので、ユーザの利用形態に合わせて多彩な使い勝手を提供することができる。例えば、本電子機器１のＨＤＤ１５等に大学の教科書等を一式記録させておき、通学時は教科書の閲覧、あるいは趣味の書籍の閲覧を可能とし、授業中はラップトップ状態に利用形態を変化させ、教科書を第１の画面部４Ａで見ながら、第２の画面部４Ｂ側でノートを取る、計算させる、などといった使い勝手を提供することができる。
（ロ）見開き状態からラップトップ状態に利用形態を変化させたとき、画面を回転させることができるので、利便性に優れた電子機器を提供することができる。
（ハ）設定により自動的に画面を回転させるか手動操作によって画面を回転させるかを選択できるので、寝そべった姿勢など機器１の方向が不安定な場合にも不用意に画面が回転しないため、使いやすい機器となる。
（ニ）見開き機器の特性上、機器の重心位置には制約があるが、本実施の形態のように重心位置構造、接地脚構造を採用することにより、見開き状態からラップトップ状態へと利用形態を容易に変化させることができる。
（ホ）無線により外部と通信が可能であるので、携帯情報端末（ＰＤＡ：Personal Digital Assistant）としての機能も有することができ、従来の電子書籍、ノート型ＰＣ、ＰＤＡの３つの機能を１つの機器で実現することができる。
（ヘ）２画面を有するが、折り畳めるので、コンパクトとなり、優れた携帯性が得られる。
（ト）ＬＣＤ４０Ａ，４０Ｂの下にタブレット４１Ａ，４１Ｂを配置し、座標入力構造として電磁誘導方式を採用したため、ＬＣＤ４０Ａ，４０Ｂからの表示光がタブレット４１Ａ，４１Ｂによって吸収されないため、コントラストの高い画像を表示することができる。また、ペンをコードレスにすることができ、操作性が向上する。さらに、座標検出精度が他の方式と比較して高くなる。
【００４８】
［第２の実施の形態］
図１０は、第２の実施の形態に係る電子機器を示し、同図（ａ）は、斜視図、同図（ｂ）は、要部断面図である。この第２の実施の形態は、第１の実施の形態の電子ペン５の代りにキートップシート９を用いたものである。このキートップシート９は、通常のキーボードと同様に配置された複数のキートップ９０を柔軟な素材で形成されるキー間接続部９２によって接続したものであり、全体が一枚のシート状に成型されている。このキートップシート９には、キー支え９１が適宜配置されており、キートップ９０を第２のＬＣＤ４０Ｂから適切な距離を保つように構成されている。
【００４９】
個々のキートップ９０には、図５で説明したものと同様のＬＣ共振回路５１が内蔵されており、キートップ９０を押すことにより、移動距離分だけＬＣ共振回路５１がＬＣＤ４０Ｂに近づく。これにより図５で説明したものと同様の原理で、キートップ９０の押し込みをタブレット制御部２１が検出し、ＬＣＤ４０Ｂに対応したいずれの位置のキーが押されたかをＣＰＵ１０に送信し、各種キー入力を可能とする。
【００５０】
キートップ９０は、キートップシート９、キー間接続部８２と同じ素材で成型されていても良いが、キートップ９０の上面だけを硬成型材等で一体成型してもよい。これにより、指の感触などが通常のキーボードに近くなる。
【００５１】
個々のキートップ９０に内蔵されているＬＣ共振回路５１は、同一の共振周波数のものでも良いが、異なる共振周波数のものを内蔵することにより、他のキーと区別することが容易となり、特定のキー機能を持たせることも可能となる。
【００５２】
（第２の実施の形態の効果）
この第２の実施の形態によれば、通常のキーボードと同様にキー入力することができるので、第１の実施の形態の電子ペン５と比較してキー入力操作を容易にすることができる。また、キーボード像の表示を省略することもできる。
【００５３】
［他の実施の形態］
なお、本発明は、上記各実施の形態に限定されず、その要旨を変更しない範囲内で種々な変形が可能である。例えば、方向センサを設けずに、ユーザの操作に基づいて画面を回転させてもよい。
【００５４】
また、方向センサとしては、メカニカルスイッチ，感圧ゴム等を用いてもよい。この場合、方向センサを接地脚に配置し、方向センサが接地を検出した時点で画面の表示方向を切り替えてもよい。
【図面の簡単な説明】
【００５５】
【図１】本発明の第１の実施の形態に係る電子機器の外観を示し、（ａ）は、見開き状態を示す斜視図、（ｂ）は、閉じた状態を示す斜視図である。
【図２】（ａ）は、本発明の第１の実施の形態に係る電子機器のラップトップ状態を示す側面図、（ｂ）は、他の例を示す側面図である。
【図３】本発明の第１の実施の形態に係る第１のページ送りスイッチの詳細を示し、（ａ）は要部斜視図、（ｂ）は要部断面図である。
【図４】本発明の第１の実施の形態に係る電子機器の制御系を示すブロック図である。
【図５】本発明の第１の実施の形態に係る座標入力構造を示す図である。
【図６】本発明の第１の実施の形態に係る電子機器のラップトップ状態を示す斜視図である。
【図７】本発明の第１の実施の形態に係る電子機器のラップトップ状態を示し、（ａ）は画面回転前の斜視図、（ｂ）は画面回転後の斜視図である。
【図８】本発明の第１の実施の形態に係る電子機器の表示例を示す斜視図である。
【図９】本発明の第１の実施の形態に係る電子機器の動作を示すフローチャートである。
【図１０】本発明の第２の実施の形態に係る電子機器を示し、（ａ）は斜視図、（ｂ）は要部断面図である。
【符号の説明】
【００５６】
１  電子機器
２Ａ  第１の筐体
２Ｂ  第２の筐体
２ａ〜２ｄ  接地脚
３  ヒンジ
４Ａ  第１の画面部
４Ｂ  第２の画面部
５  電子ペン
６  電源スイッチ
７  カーソルスイッチ
８Ａ  第１のページ送りスイッチ
８Ｂ  第２のページ送りスイッチ
９  キートップシート
１０  ＣＰＵ
１１  ＲＯＭ
１１ａ  画面回転プログラム
１２  ＲＡＭ
１３  メモリカード
１４  カードドライブ
１５  ＨＤＤ
１６  方向センサ
１７  方向変化検出部
１８  通信部
１９  スイッチ信号入力部
２０  ＬＣＤ制御部
２１  タブレット制御部
３０  曲面部
４０Ａ  第１のＬＣＤ
４０Ｂ  第２のＬＣＤ
４１Ａ  第１のタブレット
４１Ｂ  第２のタブレット
４２ａ  縦コイル
４２ｂ  横コイル
５０  ペン筐体
５１  ＬＣ共振回路
５２  コイル
５３  コンデンサ
８０  スイッチ基板
８１  スイッチ本体
８２  スイッチノブ
８２ａ  突起部
９０  キートップ
９１  キー支え
９２  キー間接続部
１００  表示エリア
１０１  キー入力エリア
１０２  手書きノートエリア
１０３  手書き文字入力変換エリア
Ｅ  視野角範囲
Ｇ1  第１の筐体の重心位置
Ｇ2  第２の筐体の重心位置
Ｌp  垂直線
Ｌ1  重心位置Ｇ1から垂直線Ｌpまでの距離
Ｌ2  重心位置Ｇ2から垂直線Ｌpまでの距離
Ｗ1  第１の筐体の重量
Ｗ2  第２の筐体の重量
【図１】
2005266968.tif 000003
【図２】
2005266968.tif 000004
【図３】
2005266968.tif 000005
【図４】
2005266968.tif 000006
【図５】
2005266968.tif 000007
【図６】
2005266968.tif 000008
【図７】
2005266968.tif 000009
【図８】
2005266968.tif 000010
【図９】
2005266968.tif 000011
【図１０】
2005266968.tif 000012